【手続補正書】
【提出日】平成18年11月14日(2006.11.14)
【手続補正１】
【補正対象書類名】特許請求の範囲
【補正対象項目名】全文
【補正方法】変更
【補正の内容】
【特許請求の範囲】
【請求項１】
ヒトや動物の組織を接続するためのバーブ付き縫合糸と外科用針との結合体であって、該結合体は外科用針に取り付けられたバーブ付き縫合糸を含み、前記縫合糸は第１の端部及び第２の端部と１つの直径とを有する細長い体部から突き出ている複数のバーブを有しており、各バーブはある１つの方向に向いていると共に、組織内においてそのバーブが向いている方向と反対の方向への縫合糸の動きに逆らうように適合されており、
前記外科用針（Ｎ１、Ｎ２、Ｎ３、Ｎ４）は、前記針の最も太い部分で前記バーブ付き縫合糸直径（ＳＤ）に対する外科用針直径（Ｄ１、Ｄ２、Ｄ３、Ｄ４）の比が約３：１から約１．１：１までである前記直径（Ｄ１、Ｄ２、Ｄ３、Ｄ４）を有していることを特徴とするバーブ付き縫合糸と外科用針の結合体。
【請求項２】
前記バーブ付き縫合糸（Ｓ１、Ｓ２、Ｓ３、Ｓ４）及び前記外科用針（Ｎ１、Ｎ２、Ｎ３、Ｎ４）は、スウェージング、チャンネル・ラッピング、熱収縮、及びはと目スレッディングからなる群より選択されたアタッチメントを有することを特徴とする請求項１に記載のバーブ付き縫合糸と外科用針の結合体。
【請求項３】
前記外科用針（Ｎ１、Ｎ２、Ｎ３、Ｎ４）はポリマー・コーティングを有することを特徴とする請求項１に記載のバーブ付き縫合糸と外科用針の結合体。
【請求項４】
前記ポリマー・コーティングはシリコーン材料を含むことを特徴とする請求項３に記載のバーブ付き縫合糸と外科用針の結合体。
【請求項５】
前記バーブ付き縫合糸直径（ＳＤ）に対する前記外科用針直径（Ｄ１、Ｄ２、Ｄ３、Ｄ４）の比は約２：１から約１．１：１までであることを特徴とする請求項１に記載のバーブ付き縫合糸と外科用針の結合体。
【請求項６】
前記バーブ付き縫合糸直径（ＳＤ）に対する前記外科用針直径（Ｄ１、Ｄ２、Ｄ３、Ｄ４）の比は約１．１：１であることを特徴とする請求項５に記載のバーブ付き縫合糸と外科用針の結合体。
【請求項７】
前記縫合糸（Ｓ１、Ｓ２、Ｓ３、Ｓ４）は、生体吸収可能な材料、吸収不可能な材料、及びこれらの組み合わせからなる群より選択された材料から製作されていることを特徴とする請求項１に記載のバーブ付き縫合糸と外科用針の結合体。
【請求項８】
前記生体吸収可能な材料は、ポリジオキサノン、ポリラクチド、ポリグリコリド、ポリカプロラクトン、及びこれらの組み合わせからなる群より選択されていることを特徴とする請求項７に記載のバーブ付き縫合糸と外科用針の結合体。
【請求項９】
前記吸収不可能な材料は、ポリマー、金属、金属合金、天然繊維、及びこれらの組み合わせからなる群より選択されていることを特徴とする請求項７に記載のバーブ付き縫合糸と外科用針の結合体。
【請求項１０】
前記ポリマーは、ポリアミド、ポリエステル、ポリプロピレン、ポリウレタン、ポリテトラフルオロエチレン、ポリエーテルエステル、及びこれらの組み合わせからなる群より選択されていることを特徴とする請求項９に記載のバーブ付き縫合糸と外科用針の結合体。
【請求項１１】
前記バーブは体部上で、バーブの千鳥型配列（７、９、３５、３７、３９、１７、１９、４７、４９、５１、１８、２０、４８、５０、５２）、バーブのツイスト切削多重スパイラル配列（６７、７７、７８）、バーブの重複配列（１３５）、又はバーブのランダム配列（９７）及びこれらの組み合わせからなる群から選択された配列を有していることを特徴とする請求項１に記載のバーブ付き縫合糸と外科用針の結合体。
【請求項１２】
前記バーブは、バーブの千鳥型配列（７、９、３５、３７、３９）、バーブのツイスト切削多重スパイラル配列（６７）、バーブの重複配列（１３５）、又はこれらの組み合わせの配列を成しており、且つ前記バーブ（７、９、３５、３７、３９、６７、１３５）のすべてが前記第１の端部と前記第２の端部のうちの一方だけに向かったある１つの方向に向いていることを特徴とする請求項１１に記載のバーブ付き縫合糸と外科用針の結合体。
【請求項１３】
前記バーブは、バーブの千鳥型配列（１７、１９、４７、４９、５１、１８、２０、４８、５０、５２）、バーブのツイスト切削多重スパイラル配列（７７、７８）、バーブの重複配列（１３５）、又はこれらの組み合わせの配列を成しており、且つ該バーブ付き縫合糸は少なくとも第１のバーブ付き部分と第２のバーブ付き部分とを有しており、前記第１の部分のバーブ（１７、１９、４７、４９、５１、７７、１３５）は前記第１の端部だけに向かったある１つの方向に向いていると共に前記第２の部分のバーブ（１８、２０、４８、５０、５２、７８、１３５）は前記第２の端部だけに向かったある１つの方向に向いていることを特徴とする請求項１１に記載のバーブ付き縫合糸と外科用針の結合体。
【請求項１４】
前記バーブの千鳥配列（７、９）は、前記バーブのうちの第１の組（７）を、前記バーブのうちの第２の組（９）から約１８０°半径方向で離間させた状態で含んでいる請求項１１に記載のバーブ付き縫合糸と外科用針の結合体。
【請求項１５】
前記バーブの千鳥配列（３５、３７、３９）は、前記バーブのうちの第１の組（３５）を前記バーブのうちの第２の組（３７）から約１２０°半径方向で離間させた状態で、また前記バーブのうちの前記第２の組を前記バーブのうちの第３の組（３９）から約１２０度半径方向で離間させた状態で含んでいることを特徴とする請求項１１に記載のバーブ付き縫合糸と外科用針の結合体。
【請求項１６】
ヒトや動物の組織を接続するためのバーブ付き縫合糸と外科用針との結合体において、該結合体は外科用針に取り付けられたバーブ付き縫合糸を含み、前記縫合糸は、第１の端部及び第２の端部と１つの直径とを有する細長い体部から突き出ている複数のバーブを有し、各バーブはある１つの方向に向き、組織内にあるとき、前記バーブが向いている方向と反対の方向への前記縫合糸の動きに逆らうように適合されている結合体であって、
前記バーブは、バーブ（６７、７７、７８）のツイスト切削多重スパイラル配列を成しており、前記バーブ付き縫合糸（６０、７０）は、前記バーブ（６７、７７、７８）を切り立たせて縫合糸線条にして前記バーブ付きの縫合糸（６０、７０）を製作する際に２５．４ｍｍ（１インチ）あたり約２回から約１７回までのねじりを加えた部分を有する縫合糸線条から製作されており、
前記外科用針（Ｎ１、Ｎ２、Ｎ３、Ｎ４）は、前記針の最も太い部分で前記バーブ付き縫合糸直径（ＳＤ）に対する外科用針直径（Ｄ１、Ｄ２、Ｄ３、Ｄ４）の比が約３：１から約１．１：１までである前記直径（Ｄ１、Ｄ２、Ｄ３、Ｄ４）を有していることを特徴とするバーブ付き縫合糸と外科用針の結合体。
【請求項１７】
ヒトや動物の組織を接続するためのバーブ付き縫合糸と外科用針との結合体において、該結合体は外科用針に取り付けられたバーブ付き縫合糸を含み、前記縫合糸は、第１の端部及び第２の端部と１つの直径とを有する細長い体部から突き出ている複数のバーブを有し、各バーブはある１つの方向に向き、組織内にあるとき、前記バーブが向いている方向と反対の方向への前記縫合糸の動きに逆らうように適合されている結合体であって、
前記バーブは、バーブのツイスト切削多重スパイラル配列（６７、７７、７８）を成しており、且つ該縫合糸（６０、７０）は約５°から約２５°までの範囲にあるスパイラル角αを有し、
前記外科用針（Ｎ１、Ｎ２、Ｎ３、Ｎ４）は、前記針の最も太い部分で前記バーブ付き縫合糸直径（ＳＤ）に対する外科用針直径（Ｄ１、Ｄ２、Ｄ３、Ｄ４）の比が約３：１から約１．１：１までである前記直径（Ｄ１、Ｄ２、Ｄ３、Ｄ４）を有していることを特徴とするバーブ付き縫合糸と外科用針の結合体。
【請求項１８】
スパイラル角αが約７°から約２２°までの範囲にあることを特徴とする請求項１７に記載のバーブ付き縫合糸と外科用針の結合体。
【請求項１９】
約１２°から約１８°までの範囲にあるスパイラル角αを有していることを特徴とする請求項１８に記載のバーブ付き縫合糸と外科用針の結合体。
【請求項２０】
ヒトや動物の組織を接続するためのバーブ付き縫合糸と外科用針との結合体において、該結合体は外科用針に取り付けられたバーブ付き縫合糸を含み、前記縫合糸は、第１の端部及び第２の端部と１つの直径とを有する細長い体部から突き出ている複数のバーブを有し、各バーブはある１つの方向に向き、組織内にあるとき、前記バーブが向いている方向と反対の方向への前記縫合糸の動きに逆らうように適合されている結合体であって、
前記バーブは、その１つが上に重なっているバーブ（１３５）であり且つその１つが重なりを受けているバーブ（１３５）である少なくとも２つの隣接するバーブ（１３５）に関して、前記上に重なっているバーブが１つの下面（ＵＳ）を有し且つ前記重なりを受けているバーブが１つの上面（ＴＳ）を有するようなバーブ（１３５）の重複配列を成しており、前記上に重なっているバーブ（１３５）の前記下面（ＵＳ）の一部は前記重なりを受けているバーブ（１３５）の前記上面（ＴＳ）の一部から導出され、
前記外科用針（Ｎ１、Ｎ２、Ｎ３、Ｎ４）は、前記針の最も太い部分で前記バーブ付き縫合糸直径に対する外科用針直径（Ｄ１、Ｄ２、Ｄ３、Ｄ４）の比が約３：１から約１．１：１までである前記直径（Ｄ１、Ｄ２、Ｄ３、Ｄ４）を有していることを特徴とするバーブ付き縫合糸と外科用針の結合体。
【請求項２１】
前記上に重なっているバーブ（１３５）及び前記重なりを受けているバーブ（１３５）のそれぞれは１つのバーブ切削長さ（Ｌ）を有しており、且つ前記上に重なっているバーブ（１３５）及び前記重なりを受けているバーブ（１３５）はこれらの間に前記重なりを受けているバーブ（１３５）の前記バーブ切削長さ（Ｌ）と比べてより短い１つのバーブ切削距離（Ｐ）を有することを特徴とする請求項２０に記載のバーブ付き縫合糸と外科用針の結合体。
【請求項２２】
ヒトや動物の組織を接続するためのバーブ付き縫合糸と外科用針との結合体において、該結合体は外科用針に取り付けられたバーブ付き縫合糸を含み、前記縫合糸は、第１の端部及び第２の端部と１つの直径とを有する細長い体部から突き出ている複数のバーブを有し、各バーブはある１つの方向に向き、組織内にあるとき、前記バーブが向いている方向と反対の方向への前記縫合糸の動きに逆らうように適合されている結合体であって、
前記バーブ（７、９、３５、３７、３９、１７、１９、４７、４９、５１、１８、２０、４８、５０、５２、６７、７７、７８、１３５、９７、１０７、１２５、１２７、１２９、１１５）は、（ｉ）約１４０°から約１７５°までの範囲にあるバーブ切削角度θと、（ｉｉ）前記縫合糸直径（ＳＤ）に対するその深度（Ｄ）の比が約０．２から約０．６までの範囲にあるバーブ切削深度（Ｄ）と、（ｉｉｉ）前記縫合糸直径（ＳＤ）に対するその切削長さ（Ｌ）の比が約０．６から約２までの範囲にあるバーブ切削長さ（Ｌ）と、（ｉｖ）前記縫合糸直径（ＳＤ）に対するその切削距離（Ｐ）の比が約１から約６までの範囲にあるバーブ切削距離（Ｐ）と、（ｖ）波形のバーブ下面（１０８）と、（ｖｉ）弓形のバーブ基部（１１９）と、（ｖｉｉ）その各バーブ組がそれ以外の組のバーブ・サイズと異なるバーブ・サイズを有するような少なくとも２つのバーブ組（１２５、１２７）と、（ｖｉｉｉ）これらの組み合わせと、からなる群より選択される構成を有し、
前記外科用針（Ｎ１、Ｎ２、Ｎ３、Ｎ４）は、前記針の最も太い部分で前記バーブ付き縫合糸直径（ＳＤ）に対する外科用針直径（Ｄ１、Ｄ２、Ｄ３、Ｄ４）の比が約３：１から約１．１：１までである前記直径（Ｄ１、Ｄ２、Ｄ３、Ｄ４）を有していることを特徴とするバーブ付き縫合糸と外科用針の結合体。
【請求項２３】
前記バーブ切削角度θは約１４５°から約１７３°までの範囲にある請求項２２に記載のバーブ付き縫合糸と外科用針の結合体。
【請求項２４】
前記バーブ切削角度θは約１５０°から約１７０°までの範囲にある請求項２３に記載のバーブ付き縫合糸と外科用針の結合体。
【請求項２５】
前記縫合糸直径（ＳＤ）に対する前記バーブ切削深度（Ｄ）の前記比は約０．２５から約０．５５までの範囲にある請求項２２に記載のバーブ付き縫合糸と外科用針の結合体。
【請求項２６】
前記縫合糸直径（ＳＤ）に対する前記バーブ切削深度（Ｄ）の前記比は約０．３から約０．５までの範囲にある請求項２５に記載のバーブ付き縫合糸と外科用針の結合体。
【請求項２７】
前記縫合糸直径（ＳＤ）に対する前記バーブ長さ（Ｌ）の前記比は約０．８から約１．７までの範囲にある請求項２２に記載のバーブ付き縫合糸と外科用針の結合体。
【請求項２８】
前記縫合糸直径（ＳＤ）に対する前記バーブ長さ（Ｌ）の前記比は約０．９から約１．５までの範囲にある請求項２７に記載のバーブ付き縫合糸と外科用針の結合体。
【請求項２９】
前記縫合糸直径（ＳＤ）に対する前記バーブ切削距離（Ｐ）の前記比は約１．５から約４．５までの範囲にある請求項２２に記載のバーブ付き縫合糸と外科用針の結合体。
【請求項３０】
前記縫合糸直径（ＳＤ）に対する前記バーブ切削距離（Ｐ）の前記比は約１．８から約３．５までの範囲にある請求項２９に記載のバーブ付き縫合糸と外科用針の結合体。
【請求項３１】
ヒトや動物の組織を接続するためのバーブ付き縫合糸と外科用針との結合体であって、該結合体は外科用針に取り付けられたバーブ付き縫合糸を含み、前記縫合糸は第１の端部、第２の端部、及び１つの直径とを有する細長い体部から突き出ている複数のバーブを有しており、各バーブはある１つの方向に向いていると共に、組織内においてそのバーブが向いている方向と反対の方向への縫合糸の動きに逆らうように適合されており、
前記バーブは、バーブの千鳥型配列（７、９、３５、３７、３９、１７、１９、４７、４９、５１、１８、２０、４８、５０、５２）を成しており、
前記外科用針（Ｎ１、Ｎ２、Ｎ３、Ｎ４）は、前記針の最も太い部分で前記バーブ付き縫合糸直径（ＳＤ）に対する外科用針直径（Ｄ１、Ｄ２、Ｄ３、Ｄ４）の比が約３：１から約１．１：１までである前記直径（Ｄ１、Ｄ２、Ｄ３、Ｄ４）を有していることを特徴とするバーブ付き縫合糸と外科用針の結合体。
【請求項３２】
ヒトや動物の組織を接続するためのバーブ付き縫合糸と外科用針との結合体であって、該結合体は外科用針に取り付けられたバーブ付き縫合糸を含み、前記縫合糸は第１の端部、第２の端部、及び１つの直径とを有する細長い体部から突き出ている複数のバーブを有しており、各バーブはある１つの方向に向いていると共に、組織内においてそのバーブが向いている方向と反対の方向への縫合糸の動きに逆らうように適合されており、
前記バーブは、バーブのランダム配列（９７）を成しており、
前記外科用針（Ｎ１、Ｎ２、Ｎ３、Ｎ４）は、前記針の最も太い部分で前記バーブ付き縫合糸直径（ＳＤ）に対する外科用針直径（Ｄ１、Ｄ２、Ｄ３、Ｄ４）の比が約３：１から約１．１：１までである前記直径（Ｄ１、Ｄ２、Ｄ３、Ｄ４）を有していることを特徴とするバーブ付き縫合糸と外科用針の結合体。
【請求項３３】
（Ｉ）ヒトや動物の組織と（ＩＩ）ヒトや動物の組織を接続するためのバーブ付き縫合糸とを含む結合体において、前記縫合糸は、第１の端部及び第２の端部と１つの直径とを有する細長い体部から突き出ている複数のバーブを有し、各バーブはある１つの方向に向き、組織内にあるとき、前記バーブが向いている方向と反対の方向への前記縫合糸の動きに逆らうように適合されており、前記組織は、前記バーブ付き縫合糸が、外科用針への先の取り付けから外れた状態で、前記バーブ付き縫合糸を前記組織の中に貫通させて有し、前記針は、ある直径を前記針の最も太い部分で有している結合体であって、
前記バーブ付き縫合糸（Ｓ１、Ｓ２、Ｓ３、Ｓ４）と先に取り付けがなされた外科用針（Ｎ１、Ｎ２、Ｎ３、Ｎ４）とは、様々なバーブ付き縫合糸と外科用針アタッチメントとから選択され、
前記選択された取り付けられたバーブ付き縫合糸（Ｓ１、Ｓ２、Ｓ３、Ｓ４）と外科用針（Ｎ１、Ｎ２、Ｎ３、Ｎ４）とは、前記針の最も太い部分で前記バーブ付き縫合糸直径（ＳＤ）に対する前記外科用針直径（Ｄ１、Ｄ２、Ｄ３、Ｄ４）の約３：１から約１．１：１までの比を有し、
前記選択された取り付けられたバーブ付き縫合糸（Ｓ１、Ｓ２、Ｓ３、Ｓ４）と外科用針（Ｎ１、Ｎ２、Ｎ３、Ｎ４）との前記外科用針（Ｎ１、Ｎ２、Ｎ３、Ｎ４）は、外科用針の様々なアタッチメントの中で最も細い外科用針直径（Ｄ１、Ｄ２、Ｄ３、Ｄ４）と、特定直径を有するバーブ付き縫合糸とを有し、
前記組織は、前記バーブ付き縫合糸（Ｓ１、Ｓ２、Ｓ３、Ｓ４）が、前記先に取り付けがなされた外科用針（Ｎ１、Ｎ２、Ｎ３、Ｎ４）から外れた状態で、前記選択されたアタッチメントのバーブ付き縫合糸（Ｓ１、Ｓ２、Ｓ３、Ｓ４）を前記組織の中に貫通させて有し、それによって前記縫合された組織により充分な強度が与えられることを特徴とする結合体。
【請求項３４】
前記バーブ付き縫合糸（Ｓ１、Ｓ２、Ｓ３、Ｓ４）と前記外科用針（Ｎ１、Ｎ２、Ｎ３、Ｎ４）とは、スウェージング、チャンネル・ラッピング、熱収縮、及びはと目スレッディングからなる群より選択されたアタッチメントを有している請求項３３に記載の組織とバーブ付き縫合糸の結合体。
【請求項３５】
前記外科用針（Ｎ１、Ｎ２、Ｎ３、Ｎ４）は高分子塗膜を有する請求項３３に記載の組織とバーブ付き縫合糸の結合体。
【請求項３６】
前記高分子塗膜はシリコン材料を備える請求項３５に記載の組織とバーブ付き縫合糸の結合体。
【請求項３７】
前記外科用針直径（Ｄ１、Ｄ２、Ｄ３、Ｄ４）の前記バーブ付き縫合糸直径（ＳＤ）への比が約２：１から約１．１：１までである請求項３３に記載の組織とバーブ付き縫合糸の結合体。
【請求項３８】
前記外科用針直径（Ｄ１、Ｄ２、Ｄ３、Ｄ４）の前記バーブ付き縫合糸直径（ＳＤ）への比が約１．１：１であることを特徴とする請求項３７に記載の組織とバーブ付き縫合糸の結合体。
【請求項３９】
前記縫合糸（Ｓ１、Ｓ２、Ｓ３、Ｓ４）は、生体吸収可能な材料、吸収不可能な材料、及びこれらの組み合わせからなる群から選択された材料から製作されている請求項３３に記載の組織とバーブ付き縫合糸の結合体。
【請求項４０】
前記生体吸収可能な材料は、ポリジオキサノン、ポリラクチド、ポリグリコリド、ポリカプロラクトン、及びこれらの組み合わせからなる群より選択されている請求項３９に記載の組織とバーブ付き縫合糸の結合体。
【請求項４１】
前記吸収不可能な材料は、ポリマー、金属、金属合金、天然繊維、及びこれらの組み合わせからなる群より選択されている請求項３９に記載の組織とバーブ付き縫合糸の結合体。
【請求項４２】
前記ポリマーは、ポリアミド、ポリエステル、ポリプロピレン、ポリウレタン、ポリテトラフルオロエチレン、ポリエーテルエステル、及びこれらの組み合わせからなる群より選択されている請求項４１に記載の組織とバーブ付き縫合糸の結合体。
【請求項４３】
前記バーブは体部上で、バーブの千鳥型配列（７、９、３５、３７、３９、１７、１９、４７、４９、５１、１８、２０、４８、５０、５２）、バーブのツイスト切削多重スパイラル配列（６７、７７、７８）、バーブの重複配列（１３５）、又はバーブのランダム配列（９７）及びこれらの組み合わせからなる群から選択された配列を有している請求項３３に記載の組織とバーブ付き縫合糸の結合体。
【請求項４４】
前記バーブは、バーブの千鳥型配列（７、９、３５、３７、３９）、バーブのツイスト切削多重スパイラル配列（６７）、バーブの重複配列（１３５）、又はこれらの組み合わせを成しており、前記バーブの全てが前記第１の端部と前記第２の端部のうちの一方だけに向かったある１つの方向に向いている請求項４３に記載の組織とバーブ付き縫合糸の結合体。
【請求項４５】
前記バーブは、バーブの千鳥型配列（１７、１９、４７、４９、５１、１８、２０、４８、５０、５２）、バーブのツイスト切削多重スパイラル配列（７７、７８）、バーブの重複配列（１３５）、又はこれらの組み合わせを成しており、前記バーブ付き縫合糸が少なくとも第１のバーブ付き部分と第２のバーブ付き部分とを有し、前記第１の部分の前記バーブ（１７、１９、４７、４９、５１、１８、２０、４８、５０、５２、７７、１３５）が前記第１の端部だけに向かったある１つの方向に向き、前記第２の部分の前記バーブ（１７、１９、４７、４９、５１、１８、２０、４８、５０、５２、７８、１３５）が前記第２の端部だけに向かったある１つの方向に向いている請求項４３に記載の組織とバーブ付き縫合糸の結合体。
【請求項４６】
前記バーブの千鳥型配列（７、９）は、前記バーブ（９）の第２の組から約１８０°径方向に離間され前記バーブ（７）の第１の組を含む請求項４３に記載の組織とバーブ付き縫合糸の結合体。
【請求項４７】
前記バーブの千鳥型配列（３５、３７、３９）は、前記バーブ（３７）の第２の組から約１２０°径方向に離間された前記バーブ（３５）の第１の組と、バーブ（３９）の第３の組から約１２０°径方向に離間された前記バーブの前記第２の組とを含む請求項４３に記載の組織とバーブ付き縫合糸の結合体。
【請求項４８】
（Ｉ）ヒトや動物の組織と（ＩＩ）ヒトや動物の組織を接続するためのバーブ付き縫合糸とを含む結合体において、前記縫合糸は、第１の端部及び第２の端部と１つの直径とを有する細長い体部から突き出ている複数のバーブを有し、各バーブはある１つの方向に向き、組織内にあるとき、前記バーブが向いている方向と反対の方向への前記縫合糸の動きに逆らうように適合されており、前記組織は、前記バーブ付き縫合糸が、外科用針への先の取り付けから外れた状態で、前記バーブ付き縫合糸を前記組織の中に貫通させて有し、前記針は、ある直径を前記針の最も太い部分で有している結合体であって、
前記バーブ付き縫合糸（Ｓ１、Ｓ２、Ｓ３、Ｓ４）と先に取り付けがなされた外科用針（Ｎ１、Ｎ２、Ｎ３、Ｎ４）とは、様々なバーブ付き縫合糸と外科用針アタッチメントとから選択され、
前記選択された取り付けられたバーブ付き縫合糸（Ｓ１、Ｓ２、Ｓ３、Ｓ４）と外科用針（Ｎ１、Ｎ２、Ｎ３、Ｎ４）とは、スウェージング、チャンネル・ラッピング、熱収縮、及びはと目スレッディングからなる群より選択されたアタッチメントを有しており、
前記選択された取り付けられたバーブ付き縫合糸（Ｓ１、Ｓ２、Ｓ３、Ｓ４）と外科用針（Ｎ１、Ｎ２、Ｎ３、Ｎ４）とは、前記針の最も太い部分で前記バーブ付き縫合糸直径（ＳＤ）に対する前記外科用針直径（Ｄ１、Ｄ２、Ｄ３、Ｄ４）の約２：１から約１．１：１までの比を有し、
前記選択された取り付けられたバーブ付き縫合糸（Ｓ１、Ｓ２、Ｓ３、Ｓ４）と外科用針（Ｎ１、Ｎ２、Ｎ３、Ｎ４）との前記外科用針（Ｎ１、Ｎ２、Ｎ３、Ｎ４）は、外科用針の様々なアタッチメントの中で最も細い外科用針直径（Ｄ１、Ｄ２、Ｄ３、Ｄ４）と、特定直径を有するバーブ付き縫合糸とを有し、
前記組織は、前記バーブ付き縫合糸（Ｓ１、Ｓ２、Ｓ３、Ｓ４）が、前記先に取り付けがなされた外科用針（Ｎ１、Ｎ２、Ｎ３、Ｎ４）から外れた状態で、前記選択されたアタッチメントのバーブ付き縫合糸（Ｓ１、Ｓ２、Ｓ３、Ｓ４）を前記組織の中に貫通させて有し、それによって前記縫合された組織により充分な強度が与えられることを特徴とする結合体。
【請求項４９】
（Ｉ）ヒトや動物の組織と（ＩＩ）ヒトや動物の組織を接続するためのバーブ付き縫合糸とを含む結合体において、前記縫合糸は、第１の端部及び第２の端部と１つの直径とを有する細長い体部から突き出ている複数のバーブを有し、各バーブはある１つの方向に向き、組織内にあるとき、前記バーブが向いている方向と反対の方向への前記縫合糸の動きに逆らうように適合されており、前記組織は、前記バーブ付き縫合糸が、外科用針への先の取り付けから外れた状態で、前記バーブ付き縫合糸を前記組織の中に貫通させて有し、前記針は、ある直径を前記針の最も太い部分で有している結合体であって、
前記バーブ付き縫合糸（１、１０、３０、４０）と先に取り付けがなされた外科用針（Ｎ１、Ｎ２、Ｎ３、Ｎ４）とは、様々なバーブ付き縫合糸と外科用針アタッチメントとから選択され、
前記選択された取り付けられたバーブ付き縫合糸（１、１０、３０、４０）と外科用針（Ｎ１、Ｎ２、Ｎ３、Ｎ４）とは、前記バーブをバーブの千鳥型配列（７、９、３５、３７、３９、１７、１９、４７、４９、５１、１８、２０、４８、５０、５２）で有し、
前記選択された取り付けられたバーブ付き縫合糸（１、１０、３０、４０）と外科用針（Ｎ１、Ｎ２、Ｎ３、Ｎ４）とは、前記針の最も太い部分で前記バーブ付き縫合糸直径（ＳＤ）に対する前記外科用針直径（Ｄ１、Ｄ２、Ｄ３、Ｄ４）の約３：１から約１．１：１までの比を有し、
前記選択された取り付けられたバーブ付き縫合糸（１、１０、３０、４０）と外科用針（Ｎ１、Ｎ２、Ｎ３、Ｎ４）との前記外科用針（Ｎ１、Ｎ２、Ｎ３、Ｎ４）は、外科用針の様々なアタッチメントの中で最も細い外科用針直径（Ｄ１、Ｄ２、Ｄ３、Ｄ４）と、特定直径を有するバーブ付き縫合糸とを有し、
前記組織は、前記バーブ付き縫合糸（１、１０、３０、４０）が、前記先に取り付けがなされた外科用針（Ｎ１、Ｎ２、Ｎ３、Ｎ４）から外れた状態で、前記選択されたアタッチメントのバーブ付き縫合糸（１、１０、３０、４０）を前記組織の中に貫通させて有し、それによって前記縫合された組織により充分な強度が与えられることを特徴とする結合体。
【請求項５０】
前記縫合糸（６０、７０）は生体吸収可能な材料、吸収不可能な材料、及びこれらの組み合わせからなる群から選択された材料から製作されている請求項１６に記載のバーブ付き縫合糸と外科用針の結合体。
【請求項５１】
前記生体吸収可能な材料は、ポリジオキサノン、ポリラクチド、ポリグリコリド、ポリカプロラクトン、及びこれらの組み合わせからなる群より選択されている請求項５０に記載のバーブ付き縫合糸と外科用針の結合体。
【請求項５２】
前記吸収不可能な材料は、ポリマー、金属、金属合金、天然繊維、及びこれらの組み合わせからなる群より選択されている請求項５０に記載のバーブ付き縫合糸と外科用針の結合体。
【請求項５３】
前記ポリマーは、ポリアミド、ポリエステル、ポリプロピレン、ポリウレタン、ポリテトラフルオロエチレン、ポリエーテルエステル、及びこれらの組み合わせからなる群より選択されている請求項５２に記載のバーブ付き縫合糸と外科用針の結合体。
【請求項５４】
前記バーブの全て（６７）は前記第１の端部と前記第２の端部のうち一方だけに向かったある１つの方向に向いている請求項１６に記載のバーブ付き縫合糸と外科用針の結合体。
【請求項５５】
前記バーブ付き縫合糸（７０）が少なくとも第１のバーブ付き部分と第２のバーブ付き部分とを有し、前記第１の部分の前記バーブ（７７）が前記第１の端部だけに向かったある１つの方向に向き、前記第２の部分の前記バーブ（７８）が前記第２の端部だけに向かったある１つの方向に向いている請求項１６に記載のバーブ付き縫合糸と外科用針の結合体。
【請求項５６】
前記縫合糸（６０、７０）は、生体吸収可能な材料、吸収不可能な材料、及びこれらの組み合わせからなる群から選択された材料から製作されている請求項１７に記載のバーブ付き縫合糸と外科用針の結合体。
【請求項５７】
前記生体吸収可能な材料は、ポリジオキサノン、ポリラクチド、ポリグリコリド、ポリカプロラクトン、及びこれらの組み合わせからなる群より選択されている請求項５６に記載のバーブ付き縫合糸と外科用針の結合体。
【請求項５８】
前記吸収不可能な材料は、ポリマー、金属、金属合金、天然繊維、及びこれらの組み合わせからなる群より選択されている請求項５６に記載のバーブ付き縫合糸と外科用針の結合体。
【請求項５９】
前記ポリマーは、ポリアミド、ポリエステル、ポリプロピレン、ポリウレタン、ポリテトラフルオロエチレン、ポリエーテルエステル、及びこれらの組み合わせからなる群より選択されている請求項５８に記載のバーブ付き縫合糸と外科用針の結合体。
【請求項６０】
前記バーブ（６７）の全てが前記第１の端部と前記第２の端部のうちの一方だけに向かったある１つの方向に向いている請求項１７に記載のバーブ付き縫合糸と外科用針の結合体。
【請求項６１】
前記バーブ付き縫合糸（７０）が少なくとも第１のバーブ付き部分と第２のバーブ付き部分とを有し、前記第１の部分の前記バーブ（７７）が前記第１の端部だけに向かったある１つの方向に向き、前記第２の部分の前記バーブ（７８）が前記第２の端部だけに向かったある１つの方向に向いている請求項１７に記載のバーブ付き縫合糸と外科用針の結合体。
【請求項６２】
前記縫合糸（１３０）は、生体吸収可能な材料、吸収不可能な材料、及びこれらの組み合わせからなる群から選択された材料から製作されている請求項２０に記載のバーブ付き縫合糸と外科用針の結合体。
【請求項６３】
前記生体吸収可能な材料は、ポリジオキサノン、ポリラクチド、ポリグリコリド、ポリカプロラクトン、及びこれらの組み合わせからなる群より選択されている請求項６２に記載のバーブ付き縫合糸と外科用針の結合体。
【請求項６４】
前記吸収不可能な材料は、ポリマー、金属、金属合金、天然繊維、及びこれらの組み合わせからなる群より選択されている請求項６２に記載のバーブ付き縫合糸と外科用針の結合体。
【請求項６５】
前記ポリマーは、ポリアミド、ポリエステル、ポリプロピレン、ポリウレタン、ポリテトラフルオロエチレン、ポリエーテルエステル、及びこれらの組み合わせからなる群より選択されている請求項６４に記載のバーブ付き縫合糸と外科用針の結合体。
【請求項６６】
前記バーブ（１３５）の全てが前記第１の端部と前記第２の端部のうちの一方だけに向かったある１つの方向に向いている請求項２０に記載のバーブ付き縫合糸と外科用針の結合体。
【請求項６７】
前記バーブ付き縫合糸（１３０）が少なくとも第１のバーブ付き部分と第２のバーブ付き部分とを有し、前記第１の部分の前記バーブ（１３５）が前記第１の端部だけに向かったある１つの方向に向き、前記第２の部分の前記バーブ（１３５）が前記第２の端部だけに向かったある１つの方向に向いている請求項２０に記載のバーブ付き縫合糸と外科用針の結合体。
【請求項６８】
前記縫合糸（１、１０、３０、４０、６０、７０、９０、１００、１２０、１１０）は、生体吸収可能な材料、吸収不可能な材料、及びこれらの組み合わせからなる群から選択された材料から製作されている請求項２２に記載のバーブ付き縫合糸と外科用針の結合体。
【請求項６９】
前記生体吸収可能な材料は、ポリジオキサノン、ポリラクチド、ポリグリコリド、ポリカプロラクトン、及びこれらの組み合わせからなる群より選択されている請求項６８に記載のバーブ付き縫合糸と外科用針の結合体。
【請求項７０】
前記吸収不可能な材料は、ポリマー、金属、金属合金、天然繊維、及びこれらの組み合わせからなる群より選択されている請求項６８に記載のバーブ付き縫合糸と外科用針の結合体。
【請求項７１】
前記ポリマーは、ポリアミド、ポリエステル、ポリプロピレン、ポリウレタン、ポリテトラフルオロエチレン、ポリエーテルエステル、及びこれらの組み合わせからなる群より選択されている請求項７０に記載のバーブ付き縫合糸と外科用針の結合体。
【請求項７２】
前記バーブ（７、９、３５、３７、３９、６７、１３５、９７、１０７、１２５、１２７、１２９、１１５）の全てが前記第１の端部と前記第２の端部のうちの一方だけに向かったある１つの方向に向いている請求項２２に記載のバーブ付き縫合糸と外科用針の結合体。
【請求項７３】
前記バーブ付き縫合糸（１、１０、３０、４０、６０、７０、９０、１００、１２０、１１０）は、少なくとも第１のバーブ付き部分と第２のバーブ付き部分とを有し、前記第１の部分の前記バーブ（１７、１９、４７、４９、５１、７７、１３５、９７、１０７、１２５、１２７、１２９、１１５）が前記第１の端部だけに向かったある１つの方向に向き、前記第２の部分の前記バーブ（１８、２０、４８、５０、５２、７８、１３５、９７、１０７、１２５、１２７、１２９、１１５）が前記第２の端部だけに向かったある１つの方向に向いている請求項２２に記載のバーブ付き縫合糸と外科用針の結合体。
【請求項７４】
前記縫合糸（６０、７０）は、生体吸収可能な材料、吸収不可能な材料、及びこれらの組み合わせからなる群から選択された材料から製作されている請求項１７に記載のバーブ付き縫合糸と外科用針の結合体。
【請求項７５】
前記生体吸収可能な材料は、ポリジオキサノン、ポリラクチド、ポリグリコリド、ポリカプロラクトン、及びこれらの組み合わせからなる群より選択されている請求項７４に記載のバーブ付き縫合糸と外科用針の結合体。
【請求項７６】
前記吸収不可能な材料は、ポリマー、金属、金属合金、天然繊維、及びこれらの組み合わせからなる群より選択されている請求項７４に記載のバーブ付き縫合糸と外科用針の結合体。
【請求項７７】
前記ポリマーは、ポリアミド、ポリエステル、ポリプロピレン、ポリウレタン、ポリテトラフルオロエチレン、ポリエーテルエステル、及びこれらの組み合わせからなる群より選択されている請求項７６に記載のバーブ付き縫合糸と外科用針の結合体。
【請求項７８】
前記縫合糸（１３０）は、生体吸収可能な材料、吸収不可能な材料、及びこれらの組み合わせからなる群から選択された材料から製作されている請求項２０に記載のバーブ付き縫合糸と外科用針の結合体。
【請求項７９】
前記生体吸収可能な材料は、ポリジオキサノン、ポリラクチド、ポリグリコリド、ポリカプロラクトン、及びこれらの組み合わせからなる群より選択されている請求項７８に記載のバーブ付き縫合糸と外科用針の結合体。
【請求項８０】
前記吸収不可能な材料は、ポリマー、金属、金属合金、天然繊維、及びこれらの組み合わせからなる群より選択されている請求項７８に記載のバーブ付き縫合糸と外科用針の結合体。
【請求項８１】
前記ポリマーは、ポリアミド、ポリエステル、ポリプロピレン、ポリウレタン、ポリテトラフルオロエチレン、ポリエーテルエステル、及びこれらの組み合わせからなる群より選択されている請求項８０に記載のバーブ付き縫合糸と外科用針の結合体。
【請求項８２】
前記バーブ（１３５）の全てが前記第１の端部と前記第２の端部のうちの一方だけに向かったある１つの方向に向いている請求項２０に記載のバーブ付き縫合糸と外科用針の結合体。
【請求項８３】
前記バーブ付き縫合糸（１３０）が少なくとも第１のバーブ付き部分と第２のバーブ付き部分とを有し、前記第１の部分の前記バーブ（１３５）が前記第１の端部だけに向かったある１つの方向に向き、前記第２の部分の前記バーブ（１３５）が前記第２の端部だけに向かったある１つの方向に向いている請求項２０に記載のバーブ付き縫合糸と外科用針の結合体。
【請求項８４】
ヒトや動物の組織を接続するためのバーブ付き縫合糸と外科用針との結合体において、該結合体は外科用針に取り付けられたバーブ付き縫合糸を含み、前記縫合糸は、第１の端部及び第２の端部と１つの直径とを有する細長い体部から突き出ている複数のバーブを有し、各バーブはある１つの方向に向き、組織内にあるとき、前記バーブが向いている方向と反対の方向への前記縫合糸の動きに逆らうように適合されている結合体であって、
前記バーブ（７、９、３５、３７、３９、１７、１９、４７、４９、５１、１８、２０、４８、５０、５２、６７、７７、７８、１３５、９７、１０７、１２５、１２７、１２９、１１５）は、約１４０度から約１７５度の範囲にあるバーブ切削角度θを有し、
前記外科用針（Ｎ１、Ｎ２、Ｎ３、Ｎ４）は、前記針の最も太い部分で前記バーブ付き縫合糸直径（ＳＤ）に対する外科用針直径（Ｄ１、Ｄ２、Ｄ３、Ｄ４）の比が約３：１から約１．１：１までである前記直径（Ｄ１、Ｄ２、Ｄ３、Ｄ４）を有していることを特徴とするバーブ付き縫合糸と外科用針の結合体。
【請求項８５】
前記バーブ切削角度θが約１４５度から約１７３度までの範囲にある請求項８４に記載のバーブ付き縫合糸と外科用針の結合体。
【請求項８６】
前記バーブ切削角度θが約１５０度から約１７０度までの範囲にある請求項８５に記載のバーブ付き縫合糸と外科用針の結合体。
【請求項８７】
前記縫合糸（１、１０、３０、４０、６０、７０、９０、１００、１２０、１１０）は、生体吸収可能な材料、吸収不可能な材料、及びこれらの組み合わせからなる群から選択された材料から製作されている請求項８４に記載のバーブ付き縫合糸と外科用針の結合体。
【請求項８８】
前記生体吸収可能な材料は、ポリジオキサノン、ポリラクチド、ポリグリコリド、ポリカプロラクトン、及びこれらの組み合わせからなる群より選択されている請求項８７に記載のバーブ付き縫合糸と外科用針の結合体。
【請求項８９】
前記吸収不可能な材料は、ポリマー、金属、金属合金、天然繊維、及びこれらの組み合わせからなる群より選択されている請求項８７に記載のバーブ付き縫合糸と外科用針の結合体。
【請求項９０】
前記ポリマーは、ポリアミド、ポリエステル、ポリプロピレン、ポリウレタン、ポリテトラフルオロエチレン、ポリエーテルエステル、及びこれらの組み合わせからなる群より選択されている請求項８９に記載のバーブ付き縫合糸と外科用針の結合体。
【請求項９１】
前記バーブ（７、９、３５、３７、３９、６７、１３５、９７、１０７、１２５、１２７、１２９、１１５）の全てが前記第１の端部と前記第２の端部のうちの一方だけに向かったある１つの方向に向いている請求項８４に記載のバーブ付き縫合糸と外科用針の結合体。
【請求項９２】
前記バーブ付き縫合糸（１、１０、３０、４０、６０、７０、９０、１００、１２０、１１０）は、少なくとも第１のバーブ付き部分と第２のバーブ付き部分とを有し、前記第１の部分の前記バーブ（１７、１９、４７、４９、５１、７７、１３５、９７、１０７、１２５、１２７、１２９、１１５）が前記第１の端部だけに向かったある１つの方向に向き、前記第２の部分の前記バーブ（１８、２０、４８、５０、５２、７８、１３５、９７、１０７、１２５、１２７、１２９、１１５）が前記第２の端部だけに向かったある１つの方向に向いている請求項８４に記載のバーブ付き縫合糸と外科用針の結合体。
【請求項９３】
ヒトや動物の組織を接続するためのバーブ付き縫合糸と外科用針との結合体において、該結合体は外科用針に取り付けられたバーブ付き縫合糸を含み、前記縫合糸は、第１の端部及び第２の端部と１つの直径とを有する細長い体部から突き出ている複数のバーブを有し、各バーブはある１つの方向に向き、組織内にあるとき、前記バーブが向いている方向と反対の方向への前記縫合糸の動きに逆らうように適合されている結合体であって、
前記バーブ（７、９、３５、３７、３９、１７、１９、４７、４９、５１、１８、２０、４８、５０、５２、６７、７７、７８、１３５、９７、１０７、１２５、１２７、１２９、１１５）が、約０．２から約０．６までの範囲にある前記縫合糸直径（ＳＤ）に対する前記バーブ切削深度（Ｄ）の比を備えるバーブ切削深度（Ｄ）を有し、
前記外科用針（Ｎ１、Ｎ２、Ｎ３、Ｎ４）は、前記針の最も太い部分で前記バーブ付き縫合糸直径（ＳＤ）に対する外科用針直径（Ｄ１、Ｄ２、Ｄ３、Ｄ４）の比が約３：１から約１．１：１までである前記直径（Ｄ１、Ｄ２、Ｄ３、Ｄ４）を有していることを特徴とするバーブ付き縫合糸と外科用針の結合体。
【請求項９４】
前記縫合糸直径（ＳＤ）に対する前記バーブ切削深度（Ｄ）の比は約０．２５から約０．５５までの範囲にある請求項９３に記載のバーブ付き縫合糸と外科用針の結合体。
【請求項９５】
前記縫合糸直径（ＳＤ）に対する前記バーブ切削深度（Ｄ）の比は約０．３から約０．５までの範囲にある請求項９４に記載のバーブ付き縫合糸と外科用針の結合体。
【請求項９６】
前記縫合糸（１、１０、３０、４０、６０、７０、９０、１００、１２０、１１０）は、生体吸収可能な材料、吸収不可能な材料、及びこれらの組み合わせからなる群から選択された材料から製作されている請求項９３に記載のバーブ付き縫合糸と外科用針の結合体。
【請求項９７】
前記生体吸収可能な材料は、ポリジオキサノン、ポリラクチド、ポリグリコリド、ポリカプロラクトン、及びこれらの組み合わせからなる群より選択されている請求項９６に記載のバーブ付き縫合糸と外科用針の結合体。
【請求項９８】
前記吸収不可能な材料は、ポリマー、金属、金属合金、天然繊維、及びこれらの組み合わせからなる群より選択されている請求項９６に記載のバーブ付き縫合糸と外科用針の結合体。
【請求項９９】
前記ポリマーは、ポリアミド、ポリエステル、ポリプロピレン、ポリウレタン、ポリテトラフルオロエチレン、ポリエーテルエステル、及びこれらの組み合わせからなる群より選択されている請求項９８に記載のバーブ付き縫合糸と外科用針の結合体。
【請求項１００】
前記バーブ（７、９、３５、３７、３９、６７、１３５、９７、１０７、１２５、１２７、１２９、１１５）の全てが前記第１の端部と前記第２の端部のうちの一方だけに向かったある１つの方向に向いている請求項９３に記載のバーブ付き縫合糸と外科用針の結合体。
【請求項１０１】
前記バーブ付き縫合糸（１、１０、３０、４０、６０、７０、９０、１００、１２０、１１０）は、少なくとも第１のバーブ付き部分と第２のバーブ付き部分とを有し、前記第１の部分の前記バーブ（１７、１９、４７、４９、５１、７７、１３５、９７、１０７、１２５、１２７、１２９、１１５）が前記第１の端部だけに向かったある１つの方向に向き、前記第２の部分の前記バーブ（１８、２０、４８、５０、５２、７８、１３５、９７、１０７、１２５、１２７、１２９、１１５）が前記第２の端部だけに向かったある１つの方向に向いている請求項９３に記載のバーブ付き縫合糸と外科用針の結合体。
【請求項１０２】
ヒトや動物の組織を接続するためのバーブ付き縫合糸と外科用針との結合体において、該結合体は外科用針に取り付けられたバーブ付き縫合糸を含み、前記縫合糸は、第１の端部及び第２の端部と１つの直径とを有する細長い体部から突き出ている複数のバーブを有し、各バーブはある１つの方向に向き、組織内にあるとき、前記バーブが向いている方向と反対の方向への前記縫合糸の動きに逆らうように適合されている結合体であって、
前記バーブ（７、９、３５、３７、１７、１９、４７、４９、５１、１８、２０、４８、５０、５２、６７、７７、７８、１３５、９７、１０７、１２５、１２７、１２９、１１５）が、約０．６から約２までの範囲にある前記縫合糸直径（ＳＤ）に対する前記バーブ切削長さ（Ｌ）の比を備えるバーブ切削長さ（Ｌ）を有し、
前記外科用針（Ｎ１、Ｎ２、Ｎ３、Ｎ４）は、前記針の最も太い部分で前記バーブ付き縫合糸直径（ＳＤ）に対する外科用針直径（Ｄ１、Ｄ２、Ｄ３、Ｄ４）の比が約３：１から約１．１：１までである前記直径（Ｄ１、Ｄ２、Ｄ３、Ｄ４）を有していることを特徴とするバーブ付き縫合糸と外科用針の結合体。
【請求項１０３】
前記縫合糸直径（ＳＤ）に対する前記バーブ切削長さ（Ｌ）の比は約０．８から約１．７までの範囲にある請求項１０２に記載のバーブ付き縫合糸と外科用針の結合体。
【請求項１０４】
前記縫合糸直径（ＳＤ）に対する前記バーブ切削長さ（Ｌ）の比は約０．９から約１．５までの範囲にある請求項１０３に記載のバーブ付き縫合糸と外科用針の結合体。
【請求項１０５】
前記縫合糸（１、１０、３０、４０、６０、７０、９０、１００、１２０、１１０）は、生体吸収可能な材料、吸収不可能な材料、及びこれらの組み合わせからなる群から選択された材料から製作されている請求項１０２に記載のバーブ付き縫合糸と外科用針の結合体。
【請求項１０６】
前記生体吸収可能な材料は、ポリジオキサノン、ポリラクチド、ポリグリコリド、ポリカプロラクトン、及びこれらの組み合わせからなる群より選択されている請求項１０５に記載のバーブ付き縫合糸と外科用針の結合体。
【請求項１０７】
前記吸収不可能な材料は、ポリマー、金属、金属合金、天然繊維、及びこれらの組み合わせからなる群より選択されている請求項１０５に記載のバーブ付き縫合糸と外科用針の結合体。
【請求項１０８】
前記ポリマーは、ポリアミド、ポリエステル、ポリプロピレン、ポリウレタン、ポリテトラフルオロエチレン、ポリエーテルエステル、及びこれらの組み合わせからなる群より選択されている請求項１０７に記載のバーブ付き縫合糸と外科用針の結合体。
【請求項１０９】
前記バーブ（７、９、３５、３７、３９、６７、１３５、９７、１０７、１２５、１２７、１２９、１１５）の全てが前記第１の端部と前記第２の端部のうちの一方だけに向かったある１つの方向に向いている請求項１０２に記載のバーブ付き縫合糸と外科用針の結合体。
【請求項１１０】
前記バーブ付き縫合糸（１、１０、３０、４０、６０、７０、９０、１００、１２０、１１０）は、少なくとも第１のバーブ付き部分と第２のバーブ付き部分とを有し、前記第１の部分の前記バーブ（１７、１９、４７、４９、５１、７７、１３５、９７、１０７、１２５、１２７、１２９、１１５）が前記第１の端部だけに向かったある１つの方向に向き、前記第２の部分の前記バーブ（１８、２０、４８、５０、５２、７８、１３５、９７、１０７、１２５、１２７、１２９、１１５）が前記第２の端部だけに向かったある１つの方向に向いている請求項１０２に記載のバーブ付き縫合糸と外科用針の結合体。
【請求項１１１】
ヒトや動物の組織を接続するためのバーブ付き縫合糸と外科用針との結合体において、該結合体は外科用針に取り付けられたバーブ付き縫合糸を含み、前記縫合糸は、第１の端部及び第２の端部と１つの直径とを有する細長い体部から突き出ている複数のバーブを有し、各バーブはある１つの方向に向き、組織内にあるとき、前記バーブが向いている方向と反対の方向への前記縫合糸の動きに逆らうように適合されている結合体であって、
前記バーブ（７、９、３５、３７、３９、１７、１９、４７、４９、５１、１８、２０、４８、５０、５２、６７、７７、７８、１３５、９７、１０７、１２５、１２７、１２９、１１５）が、約１から約６までの範囲にある前記縫合糸直径（ＳＤ）に対する前記バーブ切削距離（Ｐ）の比を備えるバーブ切削距離（Ｐ）を有し、
前記外科用針（Ｎ１、Ｎ２、Ｎ３、Ｎ４）は、前記針の最も太い部分で前記バーブ付き縫合糸直径（ＳＤ）に対する外科用針直径（Ｄ１、Ｄ２、Ｄ３、Ｄ４）の比が約３：１から約１．１：１までである前記直径（Ｄ１、Ｄ２、Ｄ３、Ｄ４）を有していることを特徴とするバーブ付き縫合糸と外科用針の結合体。
【請求項１１２】
前記縫合糸直径（ＳＤ）に対する前記バーブ切削深度（Ｐ）の比は約１．５から約４．５までの範囲にある請求項１１１に記載のバーブ付き縫合糸と外科用針の結合体。
【請求項１１３】
前記縫合糸直径（ＳＤ）に対する前記バーブ切削深度（Ｄ）の比は約１．８から約３．５までの範囲にある請求項１１２に記載のバーブ付き縫合糸と外科用針の結合体。
【請求項１１４】
前記縫合糸（１、１０、３０、４０、６０、７０、９０、１００、１２０、１１０）は、生体吸収可能な材料、吸収不可能な材料、及びこれらの組み合わせからなる群から選択された材料から製作されている請求項１１１に記載のバーブ付き縫合糸と外科用針の結合体。
【請求項１１５】
前記生体吸収可能な材料は、ポリジオキサノン、ポリラクチド、ポリグリコリド、ポリカプロラクトン、及びこれらの組み合わせからなる群より選択されている請求項１１４に記載のバーブ付き縫合糸と外科用針の結合体。
【請求項１１６】
前記吸収不可能な材料は、ポリマー、金属、金属合金、天然繊維、及びこれらの組み合わせからなる群より選択されている請求項１１４に記載のバーブ付き縫合糸と外科用針の結合体。
【請求項１１７】
前記ポリマーは、ポリアミド、ポリエステル、ポリプロピレン、ポリウレタン、ポリテトラフルオロエチレン、ポリエーテルエステル、及びこれらの組み合わせからなる群より選択されている請求項１１６に記載のバーブ付き縫合糸と外科用針の結合体。
【請求項１１８】
前記バーブ（７、９、３５、３７、３９、６７、１３５、９７、１０７、１２５、１２７、１２９、１１５）の全てが前記第１の端部と前記第２の端部のうちの一方だけに向かったある１つの方向に向いている請求項１１１に記載のバーブ付き縫合糸と外科用針の結合体。
【請求項１１９】
前記バーブ付き縫合糸（１、１０、３０、４０、６０、７０、９０、１００、１２０、１１０）は、少なくとも第１のバーブ付き部分と第２のバーブ付き部分とを有し、前記第１の部分の前記バーブ（１７、１９、４７、４９、５１、７７、１３５、９７、１０７、１２５、１２７、１２９、１１５）が前記第１の端部だけに向かったある１つの方向に向き、前記第２の部分の前記バーブ（１８、２０、４８、５０、５２、７８、１３５、９７、１０７、１２５、１２７、１２９、１１５）が前記第２の端部だけに向かったある１つの方向に向いている請求項１１１に記載のバーブ付き縫合糸と外科用針の結合体。
【請求項１２０】
ヒトや動物の組織を接続するためのバーブ付き縫合糸と外科用針との結合体において、該結合体は外科用針に取り付けられたバーブ付き縫合糸を含み、前記縫合糸は、第１の端部及び第２の端部と１つの直径とを有する細長い体部から突き出ている複数のバーブを有し、各バーブはある１つの方向に向き、組織内にあるとき、前記バーブが向いている方向と反対の方向への前記縫合糸の動きに逆らうように適合されている結合体であって、
前記バーブ（７、９、３５、３７、３９、１７、１９、４７、４９、５１、１８、２０、４８、５０、５２、６７、７７、７８、１３５、９７、１０７、１２５、１２７、１２９、１１５）が、バーブの波形下面（１０８）を有し、
前記外科用針（Ｎ１、Ｎ２、Ｎ３、Ｎ４）は、前記針の最も太い部分で前記バーブ付き縫合糸直径（ＳＤ）に対する外科用針直径（Ｄ１、Ｄ２、Ｄ３、Ｄ４）の比が約３：１から約１．１：１までである前記直径（Ｄ１、Ｄ２、Ｄ３、Ｄ４）を有していることを特徴とするバーブ付き縫合糸と外科用針の結合体。
【請求項１２１】
前記縫合糸（１、１０、３０、４０、６０、７０、９０、１００、１２０、１１０）は、生体吸収可能な材料、吸収不可能な材料、及びこれらの組み合わせからなる群から選択された材料から製作されている請求項１２０に記載のバーブ付き縫合糸と外科用針の結合体。
【請求項１２２】
前記生体吸収可能な材料は、ポリジオキサノン、ポリラクチド、ポリグリコリド、ポリカプロラクトン、及びこれらの組み合わせからなる群より選択されている請求項１２１に記載のバーブ付き縫合糸と外科用針の結合体。
【請求項１２３】
前記吸収不可能な材料は、ポリマー、金属、金属合金、天然繊維、及びこれらの組み合わせからなる群より選択されている請求項１２１に記載のバーブ付き縫合糸と外科用針の結合体。
【請求項１２４】
前記ポリマーは、ポリアミド、ポリエステル、ポリプロピレン、ポリウレタン、ポリテトラフルオロエチレン、ポリエーテルエステル、及びこれらの組み合わせからなる群より選択されている請求項１２３に記載のバーブ付き縫合糸と外科用針の結合体。
【請求項１２５】
前記バーブ（７、９、３５、３７、３９、６７、１３５、９７、１０７、１２５、１２７、１２９、１１５）の全てが前記第１の端部と前記第２の端部のうちの一方だけに向かったある１つの方向に向いている請求項１２０に記載のバーブ付き縫合糸と外科用針の結合体。
【請求項１２６】
前記バーブ付き縫合糸（１、１０、３０、４０、６０、７０、９０、１００、１２０、１１０）は、少なくとも第１のバーブ付き部分と第２のバーブ付き部分とを有し、前記第１の部分の前記バーブ（１７、１９、４７、４９、５１、７７、１３５、９７、１０７、１２５、１２７、１２９、１１５）が前記第１の端部だけに向かったある１つの方向に向き、前記第２の部分の前記バーブ（１８、２０、４８、５０、５２、７８、１３５、９７、１０７、１２５、１２７、１２９、１１５）が前記第２の端部だけに向かったある１つの方向に向いている請求項１２０に記載のバーブ付き縫合糸と外科用針の結合体。
【請求項１２７】
ヒトや動物の組織を接続するためのバーブ付き縫合糸と外科用針との結合体において、該結合体は外科用針に取り付けられたバーブ付き縫合糸を含み、前記縫合糸は、第１の端部及び第２の端部と１つの直径とを有する細長い体部から突き出ている複数のバーブを有し、各バーブはある１つの方向に向き、組織内にあるとき、前記バーブが向いている方向と反対の方向への前記縫合糸の動きに逆らうように適合されている結合体であって、
前記バーブ（７、９、３５、３７、１７、１９、４７、４９、５１、１８、２０、４８、５０、５２、６７、７７、７８、１３５、９７、１０７、１２５、１２７、１２９、１１５）は、少なくとも２つの組で構成され、各組はそれ以外の組のバーブ・サイズとは異なるバーブ・サイズを有し、
前記外科用針（Ｎ１、Ｎ２、Ｎ３、Ｎ４）は、前記針の最も太い部分で前記バーブ付き縫合糸直径（ＳＤ）に対する外科用針直径（Ｄ１、Ｄ２、Ｄ３、Ｄ４）の比が約３：１から約１．１：１までである前記直径（Ｄ１、Ｄ２、Ｄ３、Ｄ４）を有していることを特徴とするバーブ付き縫合糸と外科用針の結合体。
【請求項１２８】
前記縫合糸（１、１０、３０、４０、６０、７０、９０、１００、１２０、１１０）は、生体吸収可能な材料、吸収不可能な材料、及びこれらの組み合わせからなる群から選択された材料から製作されている請求項１２７に記載のバーブ付き縫合糸と外科用針の結合体。
【請求項１２９】
前記生体吸収可能な材料は、ポリジオキサノン、ポリラクチド、ポリグリコリド、ポリカプロラクトン、及びこれらの組み合わせからなる群より選択されている請求項１２８に記載のバーブ付き縫合糸と外科用針の結合体。
【請求項１３０】
前記吸収不可能な材料は、ポリマー、金属、金属合金、天然繊維、及びこれらの組み合わせからなる群より選択されている請求項１２８に記載のバーブ付き縫合糸と外科用針の結合体。
【請求項１３１】
前記ポリマーは、ポリアミド、ポリエステル、ポリプロピレン、ポリウレタン、ポリテトラフルオロエチレン、ポリエーテルエステル、及びこれらの組み合わせからなる群より選択されている請求項１３０に記載のバーブ付き縫合糸と外科用針の結合体。
【請求項１３２】
前記バーブ（７、９、３５、３７、３９、６７、１３５、９７、１０７、１２５、１２７、１２９、１１５）の全てが前記第１の端部と前記第２の端部のうちの一方だけに向かったある１つの方向に向いている請求項１２７に記載のバーブ付き縫合糸と外科用針の結合体。
【請求項１３３】
前記バーブ付き縫合糸（１、１０、３０、４０、６０、７０、９０、１００、１２０、１１０）は、少なくとも第１のバーブ付き部分と第２のバーブ付き部分とを有し、前記第１の部分の前記バーブ（１７、１９、４７、４９、５１、７７、１３５、９７、１０７、１２５、１２７、１２９、１１５）が前記第１の端部だけに向かったある１つの方向に向き、前記第２の部分の前記バーブ（１８、２０、４８、５０、５２、７８、１３５、９７、１０７、１２５、１２７、１２９、１１５）が前記第２の端部だけに向かったある１つの方向に向いている請求項１２７に記載のバーブ付き縫合糸と外科用針の結合体。
【請求項１３４】
前記部分は、２５．４ｍｍ（１インチ）あたり約３回から約１５回までのねじりを加えられることを特徴とする請求項１６に記載のバーブ付き縫合糸と外科用針の結合体。
【請求項１３５】
前記部分は、２５．４ｍｍ（１インチ）あたり約５回から約１３回までのねじりを加えられることを特徴とする請求項１３４に記載のバーブ付き縫合糸と外科用針の結合体。